(57)【要約】【課題】  本発明の課題は、保持部材を用いずに物品を所定位置に収納することができる上、安定的に陳列できる包装ケースを提供することである。【解決手段】  本発明の包装ケース１は、シート材を組み立てて形成されており、物品１０が収納される筒状壁４と、筒状壁４の上方開口及び下方開口を塞ぐ上面壁５及び下面壁６と、を有し、前記筒状壁４が、平坦面の正面壁２と、正面壁２の両側辺に折り罫線を介して連設された円弧面の背面壁３と、を有し、前記上面壁５及び下面壁６が、それぞれ略台形状に形成されており、前記略台形状の上面壁５の上底及び下面壁６の上底が前記背面壁３側に向けて配置されている。【選択図】  図４
2010001050.tif 000002
【特許請求の範囲】
【請求項１】
シート材を組み立てて形成されており、
物品が収納される筒状壁と、筒状壁の上方開口を塞ぐ上面壁と、筒状壁の下方開口を塞ぐ下面壁と、を有する包装ケースであって、
前記筒状壁が、平坦面の正面壁と、正面壁の両側辺に折り罫線を介して連設された円弧面又は多角形面の背面壁と、を有し、
前記上面壁及び下面壁が、それぞれ略台形状に形成されており、
前記略台形状の上面壁の上底及び前記略台形状の下面壁の上底が前記背面壁側に向けて配置されていることを特徴とする包装ケース。
【請求項２】
前記略台形状の上面壁の上底が、前記背面壁の上辺の略中央部に連設されていると共に、前記略台形状の上面壁の下底には、フラップ片が折り罫線を介して連設されており、前記フラップ片が前記折り罫線において折り曲げられて前記正面壁の内面側へ差し込まれている請求項１に記載の包装ケース。
【請求項３】
前記略台形状の上面壁の斜辺には、フラップ片が折り罫線を介して連設されており、前記フラップ片が前記折り罫線において折り曲げられて前記背面壁の内面側へ差し込まれている請求項１または２に記載の包装ケース。
【請求項４】
前記略台形状の下面壁の斜辺には、フラップ片が折り罫線を介して連設されており、前記フラップ片が前記折り罫線において折り曲げられて前記背面壁の内面側へ差し込まれている請求項１〜３のいずれかに記載の包装ケース。
【請求項５】
前記略台形状の上面壁の上底及び両斜辺が、前記背面壁の上辺に折り罫線を介して連設されていると共に、前記背面壁の上方部に、前記上面壁の上底の両端部から背面壁の両側辺に延びる一対の折り罫線が形成されており、前記上面壁が、前記背面壁の上辺の折り罫線において折り曲げられて筒状壁の上方開口を塞ぐと共に、前記背面壁の上方部が、前記一対の折り罫線において合掌折りされている請求項１に記載の包装ケース。
【発明の詳細な説明】
【技術分野】
【０００１】
本発明は、シート材を組み立てて形成され且つ物品を収納可能な包装ケースに関し、特に、円筒状の物品を所定位置に収納可能な包装ケースに関する。
【背景技術】
【０００２】
従来、合成樹脂製シートなどのシート材を組み立てた包装ケースは、様々な形態のものが知られている。
該包装ケースの代表的な形態は、シート材を中空直方体状に形成した箱型である。
しかしながら、上記箱型の包装ケースは、円筒状の物品を収納するときに、該円筒状の物品を動かないようにするための保持部材が別途必要となる。
【０００３】
また、円筒状の物品を収納する包装ケースとして、図１７に示すように、円弧状に湾曲した正面壁２０及び背面壁３０を有する筒状壁４０と、前記筒状壁４０の上方開口及び下方開口を塞ぐ平面視紡錘形状の上面壁５０及び下面壁６０と、を有する包装ケース１００が知られている。かかる包装ケース１００は、対向する２つの円弧状の正面壁２０及び背面壁３０から筒状壁４０が構成されているので、別途の保持部材を用いなくても、その筒状壁４０内の中央に円筒状の物品１１０を保持することができる。
【発明の開示】
【発明が解決しようとする課題】
【０００４】
しかしながら、上記包装ケース１００は、正面壁２０及び背面壁３０のいずれも円弧状に湾曲しているため、例えば、複数の包装ケース１００を立てて前後に陳列した場合、どのように陳列しても、円弧面が並んだ陳列しかできない。
かかる円弧面が並んだ陳列は、消費者に雑然としたイメージを与えかねない。さらに、円弧面を通じて見える包装ケースの表示や物品は、消費者の注意を惹きにくく、従って、上記包装ケース１００は、アイキャッチ性が悪いという問題点もある。
【０００５】
本発明の目的は、シート材を組み立てた包装ケースであって、保持部材を用いずに物品を所定位置に収納することができる上、整然と陳列でき且つアイキャッチ性に優れた包装ケースを提供することである。
【課題を解決するための手段】
【０００６】
本発明の包装ケースは、シート材を組み立てて形成されており、物品が収納される筒状壁と、筒状壁の上方開口を塞ぐ上面壁と、筒状壁の下方開口を塞ぐ下面壁と、を有し、前記筒状壁が、平坦面の正面壁と、正面壁の両側辺に折り罫線を介して連設された円弧面又は多角形面の背面壁と、を有し、前記上面壁及び下面壁が、それぞれ略台形状に形成されており、前記略台形状の上面壁の上底及び前記略台形状の下面壁の上底が前記背面壁側に向けて配置されていることを特徴とする。
【０００７】
本発明の包装ケースは、筒状壁を構成する正面壁が平坦面であるため、複数の包装ケースを立てて陳列するときに、平坦な正面壁を前側に向けて並べて陳列できる。このように陳列できる本発明の包装ケースは、整然と陳列されているイメージを消費者に与えるので、消費者の購買意欲を喚起できる。さらに、包装ケースに表された表示や収納された物品を、平坦面を通じて良好に視認できるので、本発明の包装ケースは、アイキャッチ性に優れている。
一方、筒状壁を構成する背面壁が円弧面又は多角形面であるため、筒状壁の内部に収納した物品は、正面壁と背面壁の間に挟持される。このため、上記包装ケースは、別途の保持部材を用いなくても、筒状壁の所定位置（背面壁の略中央部）に物品を保持することができる。
さらに、上記包装ケースは、上面壁及び下面壁が略台形状に形成され、略台形状の上面壁の上底及び略台形状の下面壁の上底が背面壁側に向けて配置されているので、前記上面壁及び下面壁によって、背面壁の円弧面形状又は多角形面形状を維持することができる。
【０００８】
本発明の好ましい包装ケースは、前記略台形状の上面壁の上底が、背面壁の上辺の略中央部に連設されていると共に、前記略台形状の上面壁の下底には、フラップ片が折り罫線を介して連設されており、前記フラップ片が前記折り罫線において折り曲げられて正面壁の内面側へ差し込まれている。
【０００９】
上記本発明の好ましい包装ケースは、上面壁の上底が背面壁の上辺の略中央部に連設されているので、背面壁はその略中央部が最も外側へ膨らんだ円弧面形状又は多角形面形状となる。従って、上記包装ケースは、物品を背面壁の略中央部に保持することができる。
さらに、フラップ片が折り罫線（上面壁の下底）において折り曲げられているので、上面壁の下底の直線状が維持される。さらに、折り曲げられたフラップ片が正面壁の内面側へ差し込まれるので、該フラップ片が、正面壁に対して平行状態で正面壁の内面に近接する。かかるフラップ片によって、正面壁の平坦面形状を確実に維持できる。
【００１０】
本発明の他の好ましい包装ケースは、前記略台形状の上面壁の斜辺には、フラップ片が折り罫線を介して連設されており、前記フラップ片が前記折り罫線において折り曲げられて背面壁の内面側へ差し込まれている。
【００１１】
上記他の好ましい包装ケースは、上面壁の斜辺に連設されたフラップ片が背面壁の内面側に差し込まれているので、該フラップ片が部分的に背面壁の内面に接し、背面壁の円弧面形状又は多角形面形状を確実に維持できる。
【００１２】
本発明の他の好ましい包装ケースは、前記略台形状の下面壁の斜辺には、フラップ片が折り罫線を介して連設されており、前記フラップ片が前記折り罫線において折り曲げられて背面壁の内面側へ差し込まれている。
上記他の好ましい包装ケースは、下面壁の斜辺に連設されたフラップ片が背面壁の内面側に差し込まれているので、該フラップ片が部分的に背面壁の内面に接し、背面壁の円弧面形状又は多角形面形状を確実に維持できる。
【００１３】
本発明の他の好ましい包装ケースは、前記略台形状の上面壁の上底及び両斜辺が、前記背面壁の上辺に折り罫線を介して連設されていると共に、前記背面壁の上方部に、前記上面壁の上底の両端部から背面壁の両側辺に延びる一対の折り罫線が形成されており、前記上面壁が、前記背面壁の上辺の折り罫線において折り曲げられて筒状壁の上方開口を塞ぐと共に、前記背面壁の上方部が、前記一対の折り罫線において合掌折りされている。
かかる他の好ましい包装ケースは、背面壁の円弧面形状又は多角形面形状を確実に維持できる上、上面壁が不用意に外れにくい。
【発明の効果】
【００１４】
本発明の包装ケースは、正面壁が平坦面であるため、整然と陳列でき且つアイキャッチ性にも優れている。他方、本発明の包装ケースは、背面壁が円弧面又は多角形面であるため、保持部材を用いずに物品を所定位置に収納することができる。
本発明の好ましい各包装ケースは、正面壁の平坦面形状、及び／又は、背面壁の円弧面形状又は多角形面形状を確実に維持することができる。
【発明を実施するための最良の形態】
【００１５】
以下、本発明の好ましい実施形態について、図面を参照しつつ具体的に説明する。なお、各部の用語の接頭語として、第１、第２などを付す場合があるが、該接頭語は、用語を区別するために付加されたものであり、各部の順序や優劣などを意味しない。また、包装ケースを構成する各壁を区別するため、正面壁、背面壁、上面壁及び下面壁と呼ぶが、正面、背面、上面及び下面は、特定の方向を意味しない。
また、各図において、一点鎖線は、折り罫線を示し、二点鎖線は、収納された物品を示す。
【００１６】
図１〜図７に於いて、１は、シート材１１を組み立てて形成された包装ケースを示す。
なお、図８は、包装ケース１を形成するシート材の展開図である。
該包装ケース１は、正面壁２及び背面壁３を有する筒状壁４と、前記筒状壁４の上方開口を塞ぐ上面壁５と、前記筒状壁４の下方開口を塞ぐ下面壁６と、を有する。
包装ケース１は、下面壁６を下にして自立させることができる。
【００１７】
包装ケース１を形成するシート材１１としては、特に限定されず、従来公知のシートを用いることができる。
該シート材１１としては、例えば、合成樹脂製シート、金属蒸着層を有する合成樹脂製シート、厚紙、及びこれらの積層シートなどが挙げられる。
好ましくは、シート材１１としては、合成樹脂製シートを含むシートが用いられ、より好ましくは、合成樹脂製シート（２枚以上の合成樹脂製シートが積層された樹脂製シートを含む）が用いられる。合成樹脂製シートの材質としては、例えば、ポリプロピレン、ポリエチレンなどのポリオレフィン系、ポリエチレンテレフタレートなどのポリエステル系、ポリスチレン系、ポリアミド系などが挙げられる。
【００１８】
また、シート材１１は、透明性に優れたシートを用いることが好ましい。該透明性に優れたシートとしては、全光線透過率が７０％以上であるシートが好ましく、より好ましくは８０％以上であり、さらに好ましくは９０％以上である。ただし、全光線透過率は、ＪＩＳ Ｋ７１０５（プラスチックの光学的特性試験方法）に準拠した測定法によって測定される値をいう。
【００１９】
上記シート材１１は、無色であることが好ましいが、透明性を損なわない範囲で着色されていてもよい。
シート材１１の厚みは、特に限定されないが、好ましくは０．２ｍｍ〜１．０ｍｍ程度である。中でも、適度な剛性を有することから、厚み０．２ｍｍ〜０．６ｍｍ程度の透明なポリプロピレン製シートを用いることが好ましい。
【００２０】
筒状壁４の内部には、物品１０が収納される。該物品１０の形状や用途は特に限定されない。好ましくは、前記筒状壁４の内部には、四角筒状、三角筒状、六角筒状、略円筒状（この略円筒状には、楕円筒状が含まれる）などの各種の筒状周面を有する物品１０が収納され、特に好ましくは、略円筒状（この略円筒状とは、真円筒状及び楕円筒状を含む）の物品１０が収納される。
このような略円筒状の周面を有する物品１０としては、化粧品容器、菓子容器、スプレー容器などが挙げられる。
【００２１】
筒状壁４は、平坦面とされた正面壁２と、円弧面とされた背面壁３と、を有する筒状体である。該筒状壁４の上方は、上方開口を有し、且つ、筒状壁４の下方は、下方開口を有する。
正面壁２は、所定幅の矩形状シート片から形成されている。
正面壁２を形成する矩形状シート片の幅は、特に限定されないが、好ましくは、収納される物品１０の幅に対して１．５倍〜３倍程度に形成され、より好ましくは、１．８倍〜２．２倍程度に形成される。
例えば、幅３０ｍｍの物品１０（該物品１０が略円筒状の場合には、その直径（長径）が物品１０の幅に相当する）を収納する場合には、正面壁２の幅は、４５ｍｍ〜９０ｍｍ程度に形成される。１つの具体的な寸法を例示すれば、物品１０が直径約３０ｍｍの円筒状、正面壁２の幅が約７０ｍｍなどである。
【００２２】
背面壁３は、正面壁２の幅よりも幅広の矩形状シート片から形成されている。
背面壁３の両側辺は、幅方向と直交する方向に形成された第１折り罫線１ａ及び第２折り罫線２ａを介して、正面壁２の両側辺に連設されている。両側辺が正面壁２に連設され且つ幅広の矩形状シート片から形成された背面壁３は、外側へ膨らんだ円弧面となる。
背面壁３を形成する矩形状シート片の幅は、好ましくは、収納される物品１０の幅に対して２倍〜４倍程度に形成され、より好ましくは、２．２倍〜３倍程度に形成される。
【００２３】
なお、図８の展開図において、４１は、正面壁２の一方の側辺に連設された糊代片を示す。該糊代片４１を背面壁３の他側部に接着することによって、筒状壁４が形成される。
また、同展開図において、３ａ，４ａは、第１折り罫線１ａ及び第２折り罫線２ａの近傍に且つこれと平行に形成された第３折り罫線及び第４折り罫線を示す。該第３折り罫線３ａ及び第４折り罫線４ａにおいて、背面壁３を折り曲げることにより、背面壁３が平坦状になって筒状壁４を扁平状に折り畳むことができる。もっとも、該第３折り罫線３ａ及び第４折り罫線４ａは、形成しても、或いは、形成しなくてもよい。
なお、第３折り罫線３ａ及び第４折り罫線４ａが形成されていると、背面壁３は、その罫線３ａ，４ａで鈍角状に折れ曲がるので、該折り罫線３ａ，４ａにおいて１８０度に近い鈍角部を有する円弧面となる。
【００２４】
上記筒状壁４の上方開口を塞ぐため、該上方開口に、上面壁５が嵌められている。
上面壁５は、平面視略台形状に形成されている。なお、本明細書において、平面視の形状は、面に対して垂直な方向から見た形状をいう。
該略台形状の上面壁５の下底は、好ましくは正面壁２（正面壁２を形成する矩形状シート片）の幅と略同じ長さに形成されている。
なお、本明細書において、略台形状とは、一組の対辺（対辺とは、上底と下底を意味する）が平行で且つ下底が上底よりも長い四角形状を含む。また、本明細書において、上底は、直線状の辺の他、僅かに湾曲した辺を含む。
好ましくは、上面壁５は、一方の斜辺と下底との成す角及び他方の斜辺と下底との成す角（下底の両側部に形成される２つの内角）が、いずれも鋭角である台形状に形成される。
より好ましくは、上面壁５は、図２に示すように、等脚台形状に形成されている。
なお、本明細書において、等脚台形状とは、一方の斜辺と下底との成す角及び他方の斜辺と下底との成す角が、同じ角度の鋭角である台形状を意味する。
前記鋭角は、好ましくは２０°〜６０°であり、より好ましくは２５°〜５０°である。
【００２５】
略台形状の上面壁５は、その上底を背面壁３側に向けて配置され、且つその下底を正面壁２側に向けて配置されている。
上面壁５は、好ましくは、その上底を背面壁３の略中央部に向けて配置されている。このように上面壁５が配置されていることによって、背面壁３は、その略中央部が最も外側へ膨らんだ円弧面形状となる。従って、背面壁３の略中央部に物品１０を保持することができる。
【００２６】
具体的には、上面壁５の上底は、第５折り罫線５ａを介して背面壁３の上辺の略中央部に連設されている。上底上に形成された第５折り罫線５ａにおいて上面壁５を折り曲げることにより、上面壁５を筒状壁４の上方開口に嵌め、又は、外すことができる。
また、上面壁５の一方の斜辺には、第１フラップ片７１が第６折り罫線６ａを介して連設されている。上面壁５の他方の斜辺には、第２フラップ片７２が第７折り罫線７ａを介して連設されている。第１フラップ片７１及び第２フラップ片７２は、上面壁５の斜辺上に形成された各折り罫線６ａ，７ａを介して折り曲げ可能である。第１フラップ片７１及び第２フラップ片７２は、例えば、上面壁５の斜辺を底辺とする三角形状（好ましくは、略直角二等辺三角形状などの二等辺三角形状）に形成されている。
【００２７】
上記第１フラップ片７１及び第２フラップ片７２は、上面壁５を筒状壁４の上方開口に嵌めたときに、円弧面状の背面壁３の内面側へ差し込まれている。差し込まれた第１フラップ片７１及び第２フラップ片７２は、部分的に背面壁３の内面に接している。
かかる第１フラップ片７１及び第２フラップ片７２が背面壁３の内面側へ差し込まれていることによって、背面壁３が内側から補強される。従って、かかる第１フラップ片７１及び第２フラップ片７２は、背面壁３の円弧面形状を維持する働きがある。また、第１フラップ片７１及び第２フラップ片７２は、上面壁５の斜辺と背面壁３の間の隙間を塞ぐ働きもある。
【００２８】
一方、上面壁５の下底には、第３フラップ片７３が第８折り罫線８ａを介して連設されている。第３フラップ片７３は、下底上に形成された第８折り罫線８ａを介して折り曲げ可能である。
この第３フラップ片７３の基部７３１の幅は、好ましくは、上面壁５の下底の幅と同じに形成されている。
本実施形態の第３フラップ片７３は、図８に示すように、上面壁５の下底の幅と略同じ幅の基部７３１を有し、その基部７３１から先端側に向かうに従って幅狭に延設されている。従って、第３フラップ片７３の端縁は、平面視略円弧状に形成されている。また、第３フラップ片７３の面内には、孔部７３３が打ち抜き形成されている。
【００２９】
第３フラップ片７３は、上面壁５を筒状壁４の上方開口に嵌めたときに、正面壁２の内面側に差し込まれている。上面壁５の下底において第３フラップ片７３が折り曲げられているので、上面壁５の下底の直線状が維持される（上面壁５の下底の剛性が高くなる）。
差し込まれた第３フラップ片７３のうち、第８折り罫線８ａの近傍に位置する基部７３１は、正面壁２の内面に対して略平行となり、正面壁２の内面に近接している。折り曲げられた第３フラップ片７３の基部７３１が、正面壁２の内面に対して平行に差し込まれていることによって、正面壁２の平坦面形状を維持できる。
【００３０】
他方、差し込まれた第３フラップ片７３の他の部分７３２（他の部分とは、基部７３１以外の第３フラップ片７３の部分をいう）は、第３フラップ片７３の孔部７３３の内側に物品１０が嵌った状態で、正面壁２側から背面壁３側へ下がり傾斜状に延びている。なお、第３フラップ片７３の端縁は円弧状に形成されているので、前記第３フラップ片７３の他の部分７３２の端縁が背面壁３の内面に接する又は近接している。従って、第３フラップ片７３の他の部分７３２は、背面壁３の円弧面形状を維持する働きがある。
【００３１】
さらに、上面壁５の下底の略中央部には、前記孔部７３３内に突出するように、摘み部７９が延設されている。この摘み部７９は、下底上に形成された第８折り罫線８ａを介して連設されている。摘み部７９と上記第３フラップ片７３は、それぞれ独立して折り曲げ可能である。
摘み部７９は、上面壁５を筒状壁４の上方開口に嵌めたときに、上方に突出されている。この摘み部７９は、後述するように、上面壁５を開封するときに利用される。
【００３２】
また、第３フラップ片７３と上面壁５の連設部分（下底上）には、一対の係入用の切込み線５１が所定間隔を開けて形成されている。
この係入用の切込み線５１は、ヘッダー８の係入部８４が差し込まれる部分である。
【００３３】
次に、筒状壁４には、上方へ突出したヘッダー８が設けられている。該ヘッダー８は、例えば、正面壁２の上辺に連設されたヘッダー片８１を折り返して形成されている。
具体的には、該ヘッダー片８１は、正面壁２の幅と略同じ幅であり、正面壁２の上辺から一体的に延設されている。ヘッダー片８１の中央部には、正面壁２の幅方向と平行に第９折り罫線９ａが形成されている。ヘッダー片８１は、該第９折り罫線９ａを基準にして、略同じ大きさの上方領域８２と下方領域８３とに区画されている。さらに、ヘッダー片８１（上方領域８２）の上辺には、幅方向に所定間隔を開けて、一対の係入部８４が突設されている。また、ヘッダー片８１の面内には、第９折り罫線９ａを挟んだ線対称位置に、吊下げ孔８５が形成されている。
【００３４】
ヘッダー片８１を第９折り罫線９ａにおいて折り返し、上方領域８２と下方領域８３を重ね合わせることによって、正面壁２の上方に突出したヘッダー８が形成されている。この折り返したヘッダー片８１の係入部８４を、筒状壁４の上方開口に嵌められた上面壁５の係入用の切込み線５１に差し込むことによって、ヘッダー片８１の開きを防止できると共に、上面壁５が不用意に上方開口から外れることを防止できる。
【００３５】
さらに、上記筒状壁４の下方開口を塞ぐため、該下方開口に、下面壁６が嵌められている。
下面壁６は、平面視略台形状に形成されている。該略台形状の下面壁６の下底は、好ましくは正面壁２の幅と略同じ長さに形成されている。
好ましくは、下面壁６は、一方の斜辺と下底との成す角及び他方の斜辺と下底との成す角が、いずれも鋭角である台形状に形成され、より好ましくは、下面壁６は、等脚台形状に形成されている。
前記鋭角は、好ましくは２０°〜６０°であり、より好ましくは２５°〜５０°である。
本実施形態では、下面壁６の平面視形状は、上面壁５と略同じ形状に形成されている。
【００３６】
略台形状の下面壁６は、その上底を背面壁３側に向けて配置され、且つその下底を正面壁２側に向けて配置されている。
下面壁６は、好ましくは、その上底を背面壁３の略中央部に向けて配置されている。このように下面壁６が配置されていることによって、背面壁３は、その略中央部が最も外側へ膨らんだ円弧面形状となる。従って、背面壁３の略中央部に物品１０を保持することができる。
【００３７】
具体的には、下面壁６の下底が第１０折り罫線１０ａを介して正面壁２の下辺に連設されている。下底上に形成された第１０折り罫線１０ａにおいて下面壁６を折り曲げることにより、下面壁６を筒状壁４の下方開口に嵌め、又は、外すことができる。
また、下面壁６の一方の斜辺には、第４フラップ片７４が第１１折り罫線１１ａを介して連設されている。下面壁６の他方の斜辺には、第５フラップ片７５が第１２折り罫線１２ａを介して連設されている。第４フラップ片７４及び第５フラップ片７５は、下面壁６の斜辺上に形成された各折り罫線１１ａ，１２ａを介して折り曲げ可能である。第４フラップ片７４及び第５フラップ片７５は、例えば、下面壁６の斜辺を底辺とする三角形状（好ましくは、略直角二等辺三角形状などの二等辺三角形状）に形成されている。
【００３８】
上記第４フラップ片７４及び第５フラップ片７５は、下面壁６を筒状壁４の下方開口に嵌めたときに、円弧面状の背面壁３の内面側へ差し込まれている。差し込まれた第４フラップ片７４及び第５フラップ片７５は、部分的に背面壁３の内面に接している。
かかる第４フラップ片７４及び第５フラップ片７５が背面壁３の内面側へ差し込まれていることによって、背面壁３が内側から補強される。従って、かかる第４フラップ片７４及び第５フラップ片７５は、背面壁３の円弧面形状を維持する働きがある。また、第４フラップ片７４及び第５フラップ片７５は、下面壁６の斜辺と背面壁３の間の隙間を塞ぐ働きもある。
【００３９】
さらに、下方開口に嵌められた下面壁６を封止するため、背面壁３の下辺の略中央部には、止め片９が第１３折り罫線１３ａを介して連設されている。該止め片９は、背面壁３の下辺上に形成された第１３折り罫線１３ａにおいて折り曲げ可能である。さらに、止め片９の面内には、前記第１３折り罫線１３ａと平行に第１４折り罫線１４ａが形成されている。止め片９は、前記第１４折り罫線１４ａを基準にして、上方領域９１と下方領域９２とに区画されている。
該止め片９は、例えば、平面視略矩形状に形成されている。もっとも、止め片９は、かかる形状に限定されず、他の形状に形成してもよい。
【００４０】
上記止め片９を第１４折り罫線１４ａにおいて折り返し、上方領域９１と下方領域９２を重ね合わせると共に、該重ね合わせた止め片９を第１３折り罫線１３ａにおいて下面壁６側へ折り曲げ、止め片９の下方領域９２を下面壁６の外面に接着することによって、下面壁６が止め片９によって封止されている。従って、筒状壁４内に物品１０を収納しても、下面壁６が筒状壁４から外れる虞はない。
【００４１】
該止め片９は、図３に示すように、止め片９の両角部９３，９３が下面壁６の両斜辺から僅かに突出するように、下面壁６の外面に接着することが好ましい。このように止め片９の角部９３が突出していることによって、該角部９３の端縁が背面壁３の内面に接するので、背面壁３の円弧面形状を維持することができる。
【００４２】
上記正面壁２、背面壁３、上面壁５、下面壁６及び／又はヘッダー８には、必要に応じて、所望の印刷が施されていてもよい。
透明なシート材１１を用いて包装ケース１を形成した場合、背面壁３に所望の印刷を施すことによって、前記背面壁３に施された印刷表示を正面壁２を通じて透視することができる。このように正面壁２を透明とし且つ円弧面である背面壁３に印刷を施せば、正面壁２を通じて透視した背面壁３の印刷表示が、立体的に見えるので好ましい。
【００４３】
次に、上記包装ケース１の組み立て手順を説明する。
展開図に示すような形状に切り抜かれたシート材１１を第１〜第４折り罫線１ａ，２ａ，３ａ，４ａにおいて折り曲げながら、糊代片４１を背面壁３の他側部に接着することによって、筒状壁４を形成する。
次に、第１１折り罫線１１ａ及び第１２折り罫線１２ａにおいて第４フラップ片７４及び第５フラップ片７５を内側へ折り曲げると共に、第１０折り罫線１０ａにおいて下面壁６を内側に折り曲げ、第４フラップ片７４及び第５フラップ片７５を筒状壁４の内部に挿入しつつ下面壁６を筒状壁４の下方開口に嵌める。挿入された第４フラップ片７４及び第５フラップ片７５は、曲げ反発によって背面壁３の内面側へ付勢され、部分的に背面壁３の内面に接する。
【００４４】
他方、第１４折り罫線１４ａにおいて止め片９を折り返すと共に、第１３折り罫線１３ａにおいて止め片９を折り曲げ、止め片９の下方領域９２に接着剤を付け、これを下面壁６に接着する。
このようにして、図９に示すように、筒状壁４の下方開口が下面壁６で閉塞され且つ筒状壁４の上方開口が開いた包装ケース１が得られる。この上方開口から筒状壁４の内部に物品１０を挿入する。
【００４５】
次に、図９及び図１０に示すように、第６折り罫線６ａ、第７折り罫線７ａ及び第８折り罫線８ａにおいて第１フラップ片７１、第２フラップ片７２及び第３フラップ片７３を内側へ折り曲げると共に、第５折り罫線５ａにおいて上面壁５を内側に折り曲げ、第１フラップ片７１、第２フラップ片７２及び第３フラップ片７３を筒状壁４の内部に挿入しつつ上面壁５を筒状壁４の上方開口に嵌める。第３フラップ片７３を挿入するときには、第３フラップ片７３の孔部７３３内に物品１０が嵌るように、第３フラップ片７３を傾斜させて第３フラップ片７３を物品１０の裏側（背面壁３側）に配置する。
挿入された第１フラップ片７１及び第２フラップ片７２は、曲げ反発によって背面壁３の内面側へ付勢され、部分的に背面壁３の内面に接する。また、挿入された第３フラップ片７３の基部７３１は、正面壁２の内面に近接し、一方、該第３フラップ片７３の他の部分７３２は、正面壁２側から背面壁３側へ下がり傾斜状に延び、その端縁が背面壁３の内面に接する又は近接する。
なお、上面壁５を嵌めるときには、摘み部７９は、筒状壁４の内部に挿入せず、外側へ突出させておく。
【００４６】
最後に、図１１に示すように、ヘッダー片８１を第９折り罫線９ａにおいて折り返し、これを摘み部７９の内側へ配置すると共に、ヘッダー片８１の係入部８４を上面壁５の切込み線５１に差し込むことによって、ヘッダー８を形成し且つ上面壁５を固定する。
以上のようにして、図１に示すような包装ケース１を組み立てることができる。
【００４７】
上記包装ケース１は、例えば、ヘッダー８の吊下げ孔８５をハンガー棒に通して吊下げ陳列することができる。包装ケース１の正面壁２が消費者に見えるように陳列することが好ましい。
また、上記包装ケース１は、下面壁６を下にして陳列棚に立てて陳列（自立陳列）することもできる。上記包装ケース１は、筒状壁４を構成する正面壁２が平坦面であるため、複数の包装ケース１について、それぞれ正面壁２を前側に向けて並べて自立陳列できる。このように正面壁２を前側に向けて包装ケース１を自立陳列することにより、消費者に整然としたイメージを与える上、包装ケース１の正面壁２側から、消費者に対して、物品１０や印刷表示を良好に見せることができる。
また、上記包装ケース１は、筒状壁４を構成する背面壁３が円弧面であるため、筒状壁４の内部に収納した物品１０は、平坦面の正面壁２と円弧面の背面壁３の略中央部の間に挟持される。このため、上記包装ケース１は、別途の保持部材を用いなくても、筒状壁４の所定位置（背面壁３の略中央部）に物品１０を保持することができる。また、物品１０にデザインが表されている場合には、該物品１０のデザインを正面壁２側に向けて筒状壁４内で保持することにより、正面壁２側から、消費者に対して、物品１０のデザインを見せることができる。
さらに、上記包装ケース１は、上面壁５及び下面壁６が略台形状に形成され、略台形状の上面壁５及び下面壁６の上底が背面壁３側に向けて配置されているので、前記上面壁５及び下面壁６によって、背面壁３の円弧面形状を維持することができる。
上記立体形状からなる包装ケース１は、空間率が１５％以下となるように設計することもできる。なお、空間率とは、包装ケース内における空間の占める割合を言う。空間率＝｛（包装ケースの容積−物品の体積）／包装ケースの容積｝×１００で求められる。
【００４８】
上記包装ケース１を開封するときには、摘み部７９を持って引き上げることにより、図１２に示すように、折り畳まれていた上面壁５が立ち上がると共に、該上面壁５に係入された状態で折り返されていたヘッダー８が立ち上がる。事後、係入されていたヘッダー８を上面壁５から取り外し、筒状壁４の上方開口を開くことによって、物品１０を出し入れすることができる。
【００４９】
次に、本発明の包装ケース１の他の実施形態を示す。
以下、他の実施形態について説明するが、上記実施形態と同様の構成及び効果についてはその説明を省略し、用語及び図番を援用する場合がある。
上記実施形態では、下面壁６は、折り曲げた止め片９を接着することによって封止されているが、止め片９を用いなくてもよい。例えば、下面壁６の外面と筒状壁４の外面に跨って粘着テープ（又は粘着ラベル）を貼り付けることによって、下面壁６が封止されていてもよい。
【００５０】
また、上記実施形態では、下面壁６は、その下底が正面壁２の下辺に連設されているが、例えば、下面壁６の下底が正面壁２に連設されておらず、下面壁６の上底が背面壁３の下辺に連設されていてもよい。下面壁６の上底が背面壁３に連設される場合、正面壁２の下辺に上記実施形態に示すような止め片が設けられるか、或いは、粘着テープなどを貼り付けることによって、下面壁６を封止できる。また、下面壁の下底に正面壁２の内面側へ差し込まれるフラップ片を設けることによって、下面壁６を封止することもできる。
【００５１】
さらに、上記実施形態では、第３フラップ片７３は、その面内に孔部７３３が形成され且つ該孔部７３３内に摘み部７９が突出されているが、例えば、第３フラップ片７３は、図１３の展開図に示すように、上面壁５の下底全体から延設されていてもよい。かかる第３フラップ片７３は、図１４に示すように、第３フラップ片７３の全体が正面壁２の内面に平行に且つ接するように、筒状壁４内に挿入される。このように上面壁５の下底全体に第３フラップ片７３が延設されていることにより、上面壁５の下底の剛性が極めて高くなり、正面壁２の平坦面形状を更に維持できる。
【００５２】
また、上記実施形態では、上面壁５は、上面壁５の上底が背面壁３の上辺に連設されているが、これに限定されず、上面壁５の上底及び両斜辺が背面壁３に連設されておらず、且つ上面壁５の下底が上面壁２に連設されていてもよい。
さらに、他の実施形態では、図１５に示すように、上面壁５の上底及び両斜辺が背面壁３の上辺に連設され、且つ上面壁５の下底に第３フラップ片７３が連設されていてもよい。具体的には、上面壁５の上底は、第５折り罫線５ａを介して背面壁３の上辺の略中央部に連設されている。この上底は、僅かに湾曲した辺（実質的に直線的な辺）とされている。また、上面壁５の両斜辺は、第１５折り罫線１５ａ，１５ａを介して背面壁３の上辺に連設されている。さらに、背面壁３の上方部の面内には、上面壁５の上底の両端部から背面壁３の両側辺に延びる一対の第１６折り罫線１６ａ，１６ａが形成されている。この第１６折り罫線１６ａ，１６ａは、第１６折り罫線１６ａと第１５折り罫線１５ａとの成す角が鋭角（例えば、２０度〜４０度）となるように形成されている。従って、背面壁３の上方部には、第１５折り罫線１５ａと第１６折り罫線１６ａで区画された平面視三角形状の折込み部３１，３１を有する。また、上面壁５の下底には、上記実施形態と同様に、孔部７３３を有する第３フラップ片７３が第８折り罫線８ａを介して連設されており、前記孔部７３３内に突出するように、摘み部７９が延設されている。
【００５３】
上記他の実施形態の包装ケース１は、図１６に示すように、第５折り罫線５ａ及び第１５折り罫線１５ａにおいて上面壁５を折り曲げると共に、三角形状の折込み部３１，３１が背面壁３の内面に接するように第１６折り罫線１６ａにおいて該折込み部３１を合掌折りする。なお、合掌折りとは、第１６折り罫線１６ａにおいて折り曲げられた背面壁３の折込み部３１（背面壁３の上方部）が、背面壁３と対面するように折り込むことをいう。
同時に、上記実施形態と同様に、第３フラップ片７３を筒状壁４の内部に挿入しつつ上面壁５を筒状壁４の上方開口に嵌める。第３フラップ片７３は、上記実施形態と同様に、孔部７３３内に物品１０が嵌るように挿入され、摘み部７９は、筒状壁４の内部に挿入せず、外側へ突出させておく。
このようにして上面壁５にて筒状壁４の上方開口が閉塞された包装ケース１を構成できる。該包装ケース１は、摘み部７９を持って引き上げることにより、上面壁５を外して上方開口を開くことができる。
この他の実施形態に係る包装ケース１は、筒状壁４の上方開口を上面壁５にて簡単に閉塞できる。さらに、該包装ケース１は、上面壁５の上底及び両斜辺が背面壁３の上辺に連設されているので、背面壁３の円弧面形状を良好に維持できる。加えて、該包装ケース１は、上面壁３に連設された折込み部３１が第１６折り罫線１６ａにおいて合掌折りされ、該折込み部３１が背面壁５の内面に接している（又は近接している）ので、上面壁５が不用意に外れ難くなる。
【００５４】
さらに、上記実施形態では、背面壁３は、実質的に円弧面とされているが、背面壁３は、多角形面とされていてもよい。該多角形面は、上記円弧面の一部に鈍角部（鈍角部は、好ましくは１２０度以上１８０度未満）が形成された形状である。多角形面の背面壁３であっても、筒状壁４の所定位置に物品を保持することができる。
多角形面の背面壁３は、背面壁３の面内に、上下方向に延びる１本又は複数本の折り罫線を形成することによって形成できる。例えば、上面壁５の上底の両端部と下面壁６の上底の両端部を結ぶように、背面壁３の面内に上下方向に延びる折り罫線（この場合には、２本の折り罫線）を形成することにより、背面壁３が多角形面とされていてもよい。また、例えば、背面壁３の面内に、所定間隔を開けて、上下方向に延びる折り罫線が３本以上形成することにより、背面壁３が多角形面とされていてもよい。
【図面の簡単な説明】
【００５５】
【図１】本発明の１つの実施形態に係る包装ケースの正面図。
【図２】同包装ケースの上面図。
【図３】同包装ケースの下面図。
【図４】同包装ケースの背面側から見た斜視図。
【図５】図１のＡ−Ａ線で切断した縦断面図。
【図６】図１のＢ−Ｂ線で切断した横端面図。
【図７】図４のＣ−Ｃ線で切断した縦断面図。
【図８】同包装ケースを形成するシート材の展開図。
【図９】同包装ケースの組み立て手順を示す背面図。
【図１０】同包装ケースの組み立て手順を示す側面図。
【図１１】同包装ケースの組み立て手順を示す背面図。
【図１２】同包装ケースを開封した状態を示す側面図。
【図１３】本発明の他の実施形態に係る包装ケースを形成するシート材の展開図。
【図１４】同包装ケースの縦断面図。
【図１５】本発明の更に他の実施形態に係る包装ケースを形成するシート材の展開図。
【図１６】同包装ケースの背面側から見た斜視図。
【図１７】従来の包装ケースの斜視図。
【符号の説明】
【００５６】
１…包装ケース、２…正面壁、３…背面壁、４…筒状壁、５…上面壁、６…下面壁、７１〜７５…第１〜第５フラップ片、１ａ〜１４ａ…第１〜第１４折り罫線、１０…物品、１１…シート材
【図１】
2010001050.tif 000003
【図２】
2010001050.tif 000004
【図３】
2010001050.tif 000005
【図４】
2010001050.tif 000006
【図５】
2010001050.tif 000007
【図６】
2010001050.tif 000008
【図７】
2010001050.tif 000009
【図８】
2010001050.tif 000010
【図９】
2010001050.tif 000011
【図１０】
2010001050.tif 000012
【図１１】
2010001050.tif 000013
【図１２】
2010001050.tif 000014
【図１３】
2010001050.tif 000015
【図１４】
2010001050.tif 000016
【図１５】
2010001050.tif 000017
【図１６】
2010001050.tif 000018
【図１７】
2010001050.tif 000019